(57)【要約】【課題】アース端子と回路基板との接続部に生じる応力を緩和することができると共に、アース端子と他の部材とを電気的に導通させることができる端子構造及びモータを得る。【解決手段】本発明の端子構造は、外部コネクタの端子が接続される第１接続部５８Ａと、回路基板に接続される第２接続部５８Ｂと、第１接続部５８Ａよりも第２接続部５８Ｂ側に設けられた把持部６２と、を有するＣ端子５８を備えている。また、本端子構造は、導電性の材料を用いて形成されていると共に、把持部６２に把持されかつ把持部６２に沿って移動可能に構成された螺子４０を備えている。【選択図】図４
2015146292.tif 000002
【特許請求の範囲】
【請求項１】
外部コネクタの端子が接続される第１接続部と、回路基板に接続される第２接続部と、
前記第１接続部よりも前記第２接続部側に設けられた把持部と、を有するアース端子と、
導電性の材料を用いて形成されていると共に、前記把持部に把持されかつ前記把持部に沿って移動可能に構成された導電部材と、
を備えた端子構造。
【請求項２】
前記把持部は、前記第２接続部と一体に設けられており、
前記導電部材が前記第２接続部に沿って移動可能に構成されている請求項１記載の端子構造。
【請求項３】
前記把持部は少なくとも一対の把持部構成部を有して構成されており、
前記導電部材が前記一対の把持部構成部の弾性力によって把持されている請求項１又は２記載の端子構造。
【請求項４】
前記導電部材の一部が前記把持部に把持されていると共に、前記導電部材の他の一部が導電性の材料を用いて形成されたシールド部材に接触している請求項１〜請求項３のいずれか１項に記載の端子構造。
【請求項５】
前記第１接続部と前記第２接続部との間の部位は、絶縁性の材料を用いて形成されていると共に前記回路基板に支持される端子台に埋設されている請求項１〜請求項４のいずれか１項に記載の端子構造。
【請求項６】
前記回路基板には、電機子の一部を構成する巻線の端末部が接続されており、
前記回路基板が前記シールド部材に覆われている請求項４記載の端子構造。
【請求項７】
電機子コアと、導電性の巻線が前記電機子コアの所定の部位に巻回されることによって形成されたコイルと、を有する電機子と、
前記巻線の端末部が接続される前記回路基板、並びに、前記回路基板に接続された前記アース端子と、
前記把持部に把持された前記導電部材と、
を備えた請求項１〜請求項６のいずれか１項に記載の端子構造が適用されたモータ。
【発明の詳細な説明】
【技術分野】
【０００１】
本発明は、端子構造及びモータに関する。
【背景技術】
【０００２】
下記特許文献１には、巻線が電機子コアの所定の部位に巻回されることによって構成された固定子と、電機子コアの外側に近接配置された永久磁石を保持して電機子コアを覆う金属製のヨークを有する回転子と、巻線に流れる電流の電流方向を切り換えてロータを回転させる駆動回路と、を備えたモータが開示されている。当該文献に記載された技術によれば、駆動回路のグラウンド端子とヨークとを電気的に導通させることによって、電機子コアに巻回された巻線から発生する電磁波のヨークからの放射を抑制している。
【０００３】
下記特許文献２には、光学ディスクを回転駆動させるスピンドルモータと、スピンドルモータが支持されると共にスピンドルモータの回転を制御するためのホール素子が搭載される導電性を有するモータベースと、スピンドルモータと電源側とを電気的に接続するフレキシブル配線と、を備えたモータ（ディスクドライブ装置）が開示されている。当該文献に記載された技術によれば、モータベースを支持するための導電性のコイルバネによりアース線とモータベースを導通させており、これにより、ホール素子等の電子部品が静電気等の高電圧によって破壊されることが回避されている。
【先行技術文献】
【特許文献】
【０００４】
【特許文献１】特許第４０８３３５３号公報
【特許文献２】特開２００３−１６２８９０号公報
【発明の概要】
【発明が解決しようとする課題】
【０００５】
しかしながら、上記特許文献１に記載されたモータは、駆動回路の一部を構成する回路基板に接続されたグラウンド端子（アース端子）とハウジングとの間に金属製の弾性部材を介装させることによって、グラウンド端子とヨークとを電気的に導通させる構成とされているため、回路基板とグラウンド端子との接続部に応力が集中し易い、即ち、ハンダ付け部に応力が集中し易い。また、上記特許文献２に記載されたモータにおいても、上記特許文献１に記載された金属製の弾性部材に相当するコイルバネを用いていることにより、当該コイルバネの弾性力により応力が高まる部分が生じる。
【０００６】
本発明は上記事実を考慮し、アース端子と回路基板との接続部に生じる応力を緩和することができると共に、アース端子と他の部材とを電気的に導通させることができる端子構造及びモータを得ることが目的である。
【課題を解決するための手段】
【０００７】
請求項１記載の端子構造は、外部コネクタの端子が接続される第１接続部と、回路基板に接続される第２接続部と、前記第１接続部よりも前記第２接続部側に設けられた把持部と、を有するアース端子と、導電性の材料を用いて形成されていると共に、前記把持部に把持されかつ前記把持部に沿って移動可能に構成された導電部材と、を備えている。
【０００８】
請求項１記載の端子構造によれば、外部コネクタの端子が第１接続部に接続されると、当該接続に伴う力が第２接続部と回路基板との接続部に伝達される。ここで、本端子構造では、アース端子における上記の部位に導電部材が把持される把持部が設けられていることにより、上記の力の一部を導電部材に把持部を介して支持させることができる。これにより、第２接続部と回路基板との接続部に伝達される上記の力が緩和され、第２接続部と回路基板との接続部に生じる応力を緩和することができる。また、導電部材が把持部に沿って移動可能に構成されていることにより、導電部材と把持部との接触面積等の接触状態を容易に調整することができる。またさらに、導電部材の一部を他の部材に接触させることにより、アース端子と他の部材とを電気的に導通させることができる。
【０００９】
請求項２記載の端子構造は、請求項１記載の端子構造において、前記把持部は、前記第２接続部と一体に設けられており、前記導電部材が前記第２接続部に沿って移動可能に構成されている。
【００１０】
請求項２記載の端子構造によれば、第２接続部と直交する方向への力を効率よく導電部材に支持させることができる。
【００１１】
請求項３記載の端子構造は、請求項１又は請求項２記載の端子構造において、前記把持部は少なくとも一対の把持部構成部を有して構成されており、前記導電部材が前記一対の把持部構成部の弾性力によって把持されている。
【００１２】
請求項３記載の端子構造によれば、一対の把持部構成部の弾性力によって、導電部材と一対の把持部構成部との接触状態を安定させることができる。
【００１３】
請求項４記載の端子構造は、請求項１〜請求項３のいずれか１項に記載の端子構造において、前記導電部材の一部が前記把持部に把持されていると共に、前記導電部材の他の一部が導電性の材料を用いて形成されたシールド部材に接触している。
【００１４】
請求項４記載の端子構造によれば、アース端子とシールド部材とを電気的に導通させることができることにより、当該アース端子を含んで構成された装置の電磁波ノイズがシールド部材を通過することを抑制することができる。
【００１５】
請求項５記載の端子構造は、請求項１〜請求項４のいずれか１項に記載の端子構造において、前記第１接続部と前記第２接続部との間の部位は、絶縁性の材料を用いて形成されていると共に前記回路基板に支持される端子台に埋設されている。
【００１６】
請求項５記載の端子構造によれば、外部コネクタの端子が第１接続部に接続され際に第２接続部側に伝達される力の一部を端子台を介して回路基板に支持させることができる。これにより、第２接続部と回路基板との接続部に生じる応力を緩和することができる。
【００１７】
請求項６記載の端子構造は、請求項４記載の端子構造において、前記回路基板には、電機子の一部を構成する巻線の端末部が接続されており、前記回路基板が前記シールド部材に覆われている。
【００１８】
請求項６記載の端子構造によれば、回路基板及び電機子側から放射される電磁波ノイズがシールド部材を通過することを抑制することができる。
【００１９】
請求項７記載のモータには、請求項１〜請求項６のいずれか１項に記載の端子構造が適用されており、このモータは、電機子コアと、導電性の巻線が前記電機子コアの所定の部位に巻回されることによって形成されたコイルと、を有する電機子と、前記巻線の端末部が接続される前記回路基板、並びに、前記回路基板に接続された前記アース端子と、前記把持部に把持された前記導電部材と、を備えている。
【００２０】
請求項７記載のモータによれば、上記端子構造が適用されていることにより、電磁環境両立性を向上することができる。
【図面の簡単な説明】
【００２１】
【図１】本実施形態の端子構造が適用されたモータを示す分解斜視図である。
【図２】モータ側コネクタを示す斜視図である。
【図３】回路基板に取付けられたモータ側コネクタを示す側面図である。
【図４】螺子がアース端子の把持部に把持されている状態を示す図３に対応する側面図である。
【図５】変形例に係るモータ側コネクタを示す図２に対応する斜視図である。
【図６】図５に示された６−６線に沿って切断したモータ側コネクタを示す断面図であり、軸方向他方側に移動する螺子が把持部に把持されている状態を示している。
【図７】図５に示された６−６線に沿って切断したモータ側コネクタを示す断面図であり、Ｃ端子の中間部に沿ってに移動する螺子が把持部に把持されている状態を示している。
【発明を実施するための形態】
【００２２】
図１〜図４を用いて本発明の実施形態に係る端子構造が適用されたモータについて説明する。なお、図中に適宜示す矢印Ｚ方向、矢印Ｒ方向、矢印Ｃ方向は、モータの軸方向、径方向、周方向をそれぞれ示すものとする。また以下、単に軸方向、径方向、周方向を示す場合は、特に断りのない限り、モータの軸方向、径方向、周方向を示すものとする。
【００２３】
図１に示されるモータ１０は、ラジエータを冷却するためのファンを回転させるファンモータや車両の空調装置の一部を構成するブロアモータとして用いられるものであり、このモータ１０は、回転磁界を発生させる電機子としてのステータ１２と、ステータ１２の回転磁界を受けて回転するロータ１４と、を備えている。また、モータ１０は、ステータ１２の一部を構成する巻線への通電を制御する回路装置１６を備えている。
【００２４】
ステータ１２は、鋼材等の磁性材料を用いて形成された電機子コアとしての図示しないステータコアと、導電性の巻線がステータコアの所定の部位に巻回されることによって形成されたコイルと、を主要な要素として構成されている。このステータ１２は、軸方向視で矩形状に形成されたセンタピース１８の軸方向他方側に配置された状態で当該センタピース１８に固定されている。
【００２５】
ロータ１４は、有底円筒状のロータハウジング２０と、このロータハウジング２０の内周面に固定された図示しない複数のロータマグネットと、を備えており、ロータマグネットは、ステータ１２と径方向に対向して配置されている。ロータハウジング２０の軸心部には、回転軸２２が固定されており、また回転軸２２は図示しないベアリングを介してセンタピース１８に支持されている。以上説明したロータ１４のロータハウジング２０及びステータ１２は、センタピース１８に取付けられたモータホルダ２４に覆われており、また回転軸２２はモータホルダ２４の軸方向他方側に突出している。
【００２６】
回路装置１６は、回路基板２６と、回路基板２６に取付けられた複数の回路素子２８及びモータ側コネクタ３０と、を主要な要素として構成されている。回路基板２６は、軸方向を板厚方向とする矩形状に形成されており、この回路基板２６には、所定の導電パターン部が形成されている。この導電パターン部を通じてステータ１２のコイル（巻線）に通電することが可能となっている。なお、巻線の端末部は図示しないバスバー等を介して回路基板２６に接続されている。
【００２７】
以上説明した回路装置１６は、センタピース１８の軸方向一方側に配置された状態で当該センタピース１８に固定されている。そして、回路装置１６はセンタピース１８に取付けられた回路ケース３２及び回路ケース３２に取付けられたシールド部材３４に覆われている。
【００２８】
回路ケース３２は、軸方向他方側が開放された有底箱状に形成されており、この回路ケース３２は、軸方向を板厚方向とする底壁部３６と、底壁部３６の端から軸方向他方側に向けて屈曲して延びる側壁部３８と、を有して構成されている。底壁部３６には、導電性の材料を用いて形成された導電部材としての螺子４０が螺入される螺子孔４２が形成されており、側壁部３８には、外部コネクタが接続されるコネクタ部４４が形成されている。
【００２９】
シールド部材３４は、導電性の部材を用いて形成されていると共に回路ケース３２に対応する有底箱状に形成されており、このシールド部材３４は、軸方向を板厚方向とする底壁部４６と、底壁部４６の端から軸方向他方側に向けて屈曲して延びる側壁部４８と、を有して構成されている。底壁部４６には、螺子４０が挿通される挿通孔５０が形成されており、側壁部４８には、回路ケース３２のコネクタ部４４に対応するコネクタ部５２が形成されている。図４に示されるように、底壁部４６の挿通孔５０に挿通された螺子４０が回路ケース３２の底壁部３６に形成された螺子孔４２に螺入されることによって、シールド部材３４が回路ケース３２に固定されている。
【００３０】
次に、本実施形態の要部であるモータ側コネクタ３０の構成について説明する。
【００３１】
図２に示されるように、モータ側コネクタ３０は、Ａ端子５４、Ｂ端子５６、及びＣ端子５８が樹脂等の絶縁性の材料を用いて形成されていると共に回路基板２６側の端部が当該回路基板２６に支持された端子台６０に埋設されることによって構成されている。
【００３２】
Ａ端子５４は、銅合金等からなる板材にプレス加工等が施されることによって側面視で略Ｌ字状に形成されており、このＡ端子５４は、図示しない外部コネクタの端子が接続される第１接続部５４Ａと、回路基板２６にハンダ付けにて接続される第２接続部５４Ｂと、端子台６０に埋設される中間部５４Ｃと、を備えている。第１接続部５４Ａは、回路基板２６の板厚方向（軸方向）と同一方向を板厚方向とする矩形状に形成されており、第２接続部５４Ｂは、回路基板２６が延在する方向を板厚方向とする矩形状に形成されている。中間部５４Ｃは、第１接続部５４Ａが延在する方向と同一方向に延在しており、この中間部５４Ｃは、第１接続部５４Ａと第２接続部５４Ｂとを繋いでいる。
【００３３】
Ｂ端子５６は、Ａ端子５４と同様に銅合金等からなる板材にプレス加工等が施されることによって側面視で略Ｌ字状に形成されており、このＢ端子５６は、図示しない外部コネクタの端子が接続されると共にＡ端子５４の第１接続部５４Ａとその板厚方向と直交する方向に隣り合って配置された第１接続部５６Ａと、回路基板２６にハンダ付けにて接続される第２接続部５６Ｂと、端子台６０に埋設される中間部５６Ｃと、を備えている。中間部５６Ｃは、第１接続部５６Ａが延在する方向と同一方向に延在しており、この中間部５６Ｃは、第１接続部５６Ａと第２接続部５６Ｂとを繋いでいる。
【００３４】
図２及び図３に示されるように、アース端子としてのＣ端子５８は、Ａ端子５４及びＢ端子５６と同様に銅合金等からなる板材にプレス加工等が施されることによって側面視で略Ｌ字状に形成されており、このＣ端子５８は、図示しない外部コネクタの端子が接続されると共にＢ端子５６の第１接続部５６Ａとその板厚方向と直交する方向に隣り合って配置された第１接続部５８Ａと、回路基板２６にハンダ付けにて接続される第２接続部５８Ｂと、端子台６０に埋設される中間部５８Ｃと、を備えている。中間部５８Ｃは、第１接続部５８Ａが延在する方向と同一方向に延在しており、この中間部５８Ｃは、第１接続部５８Ａと第２接続部５８Ｂとを繋いでいる。
【００３５】
また、図２及び図４に示されるように、Ｃ端子５８は、上記螺子４０の先端側を把持すると共に第２接続部５８Ｂと一体に形成された把持部６２を備えている。この把持部６２は、第２接続部５８Ｂの短手方向の両端から第１接続部５８Ａと反対方向に向けて延びる一対の把持部構成部６２Ａ，６２Ｂによって構成されている。把持部構成部６２Ａと把持部構成部６２Ｂとは、軸方向視で対象に形成されており、把持部構成部６２Ａと把持部構成部６２Ｂとの間には螺子４０の先端部が挿入されるようになっている。また、螺子４０が把持部構成部６２Ａと把持部構成部６２Ｂとの間に挿入される前の状態において、把持部構成部６２Ａと把持部構成部６２Ｂとのクリアランスが所定のクリアランスとなるように設定されており、これにより、螺子４０が把持部構成部６２Ａと把持部構成部６２Ｂとの間に挿入された状態では、当該螺子４０が把持部構成部６２Ａ及び把持部構成部６２Ｂの弾性力によって把持されるようになっている。また、把持部構成部６２Ａ及び把持部構成部６２Ｂにおける螺子４０側の面は、当該螺子４０の外周部に対応する曲率とされた湾曲面Ｂとされている。これにより、螺子４０が回路ケース３２の螺子孔４２に螺入される際に、当該螺子４０が把持部６２に沿ってかつ第２接続部５８Ｂの長手方向に沿って移動することが可能となっている。
【００３６】
（本実施形態の作用並びに効果）
次に、本実施形態の作用並びに効果について説明する。
【００３７】
図１〜図４に示されるように、本実施形態の端子構造が適用されたモータ側コネクタ３０に、図示しない外部コネクタが接続されると、当該接続に伴う力がＣ端子５８の第１接続部５８Ａ及び中間部５８Ｃを通じて第２接続部５８Ｂと回路基板２６との接続部に伝達される。
【００３８】
ここで、本実施形態では、Ｃ端子５８における上記の部位に螺子４０が把持される把持部６２が設けられていることにより、上記の力の一部を螺子４０に把持部６２を介して支持させることができる。これにより、第２接続部５８Ｂと回路基板２６との接続部に伝達される上記の力が緩和され、第２接続部５８Ｂと回路基板２６との接続部、即ち、はんだ付け部に生じる応力を緩和することができる。
【００３９】
また、本実施形態では、螺子４０が把持部６２に沿って移動可能に構成されていることにより、螺子４０と把持部６２との接触面積等の接触状態を容易に調整することができる。さらに、本実施形態では、螺子４０の一部をシールド部材３４に接触させることにより、Ｃ端子５８とシールド部材３４とを電気的に導通させることができる。Ｃ端子５８とシールド部材３４とを電気的に導通させることにより、当該Ｃ端子５８を含んで構成された回路装置１６の電磁波ノイズがシールド部材３４を通過することを抑制することができる。
【００４０】
また、本実施形態では、螺子４０が第２接続部５８Ｂの長手方向に沿って移動可能に構成されていることにより、即ち、螺子４０と第２接続部５８Ｂとが並列に配置されていることにより、第２接続部５８Ｂと直交する方向への力を効率よく螺子４０に支持させることができる。
【００４１】
さらに、本実施形態では、螺子４０が把持部構成部６２Ａ及び把持部構成部６２Ｂの弾性力によって把持されるように構成されていることにより、螺子４０と一対の把持部構成部６２Ａ，６２Ｂとの接触状態を安定させることができる。
【００４２】
また、本実施形態では、Ｃ端子５８の中間部５８Ｃが回路基板２６に支持された端子台６０に埋設された構成とされていることにより、外部コネクタの端子が第１接続部５８Ａに接続され際に第２接続部５８Ｂ側に伝達される力の一部を端子台６０を介して回路基板２６に支持させることができる。これにより、第２接続部５８Ｂと回路基板２６との接続部に生じる応力をより一層緩和することができる。
【００４３】
また、上記端子構造が適用されたモータ１０によれば、電磁環境両立性を向上することができる。
【００４４】
なお、本実施形態では、Ｃ端子５８の中間部５８Ｃを回路基板２６に支持された端子台６０に埋設した例について説明してきたが、本発明はこれに限定されるものではない。例えば、端子台６０が回路基板２６に支持されていない構成とすることもできる。このように、端子台６０を回路基板２６に支持させるか否かについては、第２接続部５８Ｂと回路基板２６との接続部に生じる応力等を考慮して適宜設定すればよい。
【００４５】
また、本実施形態では、螺子４０が把持部構成部６２Ａ及び把持部構成部６２Ｂの弾性力によって把持されるように構成されている例について説明してきたが、本発明はこれに限定されるものではない。すなわち、螺子４０とＣ端子５８に設けられた把持部とが接触していればよい。
【００４６】
さらに、本実施形態では、螺子４０とＣ端子５８の第２接続部５８Ｂとを並列に配置した例について説明してきたが、本発明はこれに限定されるものではない。例えば、図５に示されるように、上記実施形態と同様の構成の把持部６２を中間部５８Ｃに設けた構成とすることもできる。当該構成においては、図６に示されるように、螺子４０を軸方向他方側に移動させることによって、螺子４０の先端部を把持部６２に把持させてもよい。また、図７に示されるように、螺子４０をＣ端子５８の第２接続部５８Ｂと直交するように配置して、螺子４０を中間部５８Ｃに沿って移動させることによって、螺子４０の先端部を把持部６２に把持させてもよい。
【００４７】
以上、本発明の一実施形態について説明したが、本発明は、上記に限定されるものでなく、その主旨を逸脱しない範囲内において上記以外にも種々変形して実施することが可能であることは勿論である。
【符号の説明】
【００４８】
１０…モータ，１２…ステータ（電機子），２６…回路基板，３４…シールド部材，４０…螺子（導電部材），５８…Ｃ端子（アース端子），５８Ａ…第１接続部，５８Ｂ…第２接続部，６０…端子台，６２…把持部，６２Ａ…把持部構成部，６２Ｂ…把持部構成部
【図１】
2015146292.tif 000003
【図２】
2015146292.tif 000004
【図５】
2015146292.tif 000005
【図３】
2015146292.tif 000006
【図４】
2015146292.tif 000007
【図６】
2015146292.tif 000008
【図７】
2015146292.tif 000009